(57)【要約】【課題】印刷ヘッド搬送手段の搭載重量の増大を招くことなく、印刷ヘッドの往復動時の両方において紫外線照射を実行する。【解決手段】記録装置１は、被記録媒体Ｐを載置する載置テーブル２と、紫外線の露光により硬化するインクを被記録媒体Ｐに対して吐出する印刷ヘッド３と、印刷ヘッド３を走査方向一方側及び他方側に往復移動させるキャリッジ４と、キャリッジ４による上記走査方向への印刷ヘッド３の移動範囲外に固定的に設けられ、上記被記録媒体Ｐに照射するための紫外線を発生する紫外線発生源１０と、紫外線発生源１０からから被記録媒体Ｐへ至るまでの光路３０の終端部を、印刷ヘッド３の走査方向一方側を通過する第１光路３１と印刷ヘッド３の走査方向他方側を通過する第２光路３２とに切替可能な光路切替機構２０と、を有する。【選択図】図１
2012206449.tif 000002
【特許請求の範囲】
【請求項１】
被記録媒体を載置可能な載置手段と、
紫外線の露光により硬化するインクを、前記載置手段が載置した前記被記録媒体に対して吐出する印刷ヘッドと、
前記印刷ヘッドを、走査方向一方側及び他方側に往復移動させるための印刷ヘッド搬送手段と、
前記ヘッド搬送手段による前記走査方向への前記印刷ヘッドの移動範囲外に固定的に設けられ、前記載置手段が載置した前記被記録媒体に照射するための紫外線を発生する紫外線発生源と、
前記固定的に設けられた前記紫外線発生源から発生された前記紫外線の、当該紫外線発生源から前記被記録媒体へ至るまでの光路の終端部を、前記印刷ヘッドの前記走査方向一方側を通過する第１光路と前記印刷ヘッドの前記走査方向他方側を通過する第２光路とに切替可能な光路切替手段と、
を有することを特徴とする記録装置。
【請求項２】
請求項１記載の記録装置において、
前記紫外線発生源は、
前記印刷ヘッドの移動範囲よりも前記走査方向一方側に設けられており、
前記光路切替手段は、
前記紫外線発生源から前記走査方向他方側へ出射された前記紫外線を入射して前記印刷ヘッドの前記走査方向他方側へ所定の反射角で反射し、前記第２光路を生成する他方側反射手段と、
開閉可能に構成され、閉じ状態においては、前記紫外線発生源から前記走査方向他方側へ出射された前記紫外線を入射して前記印刷ヘッドの前記走査方向一方側へ所定の反射角で反射し前記第１光路を生成するとともに、開き状態においては、前記紫外線発生源から前記走査方向他方側へ出射された前記紫外線を前記他方側反射手段へと導く、開閉手段と、
を有することを特徴とする記録装置。
【請求項３】
請求項１記載の記録装置において、
前記光路切替手段は、
前記走査方向に直交する方向における第１反射位置に位置し、前記紫外線発生源から前記走査方向他方側へ出射された前記紫外線を入射して前記印刷ヘッドの前記走査方向一方側へ所定の反射角で反射して前記第１光路を生成する一方側反射手段と、
前記走査方向に直交する方向における前記第１反射位置とは異なる第２反射位置に位置し、前記紫外線発生源から前記走査方向他方側へ出射された前記紫外線を入射して前記印刷ヘッドの前記走査方向他方側へ所定の反射角で反射して前記第２光路を生成する他方側反射手段と、
前記紫外線発生源を、前記第１反射位置に対応した第１移動位置、及び、前記第２反射位置に対応した第２移動位置、に移動可能な移動機構と、
を有することを特徴とする記録装置。
【請求項４】
請求項２又は請求項３記載の記録装置において、
前記紫外線発生源は、
少なくとも１つの発光素子と、
前記発光素子から広がりながら発光された光を略平行光へと変換する変換手段と、
を備えており、
前記第１光路及び前記第２光路には、
前記略平行光を所定の角度で広げる拡散手段が設けられている
ことを特徴とする記録装置。
【請求項５】
請求項２又は請求項３記載の記録装置において、
前記紫外線発生源は、
少なくとも１つの発光素子と、
前記発光素子から広がりながら発光された光を略平行光へと変換する変換手段と、
を備えており、
前記発光素子の光源部分が間隔をあけて複数あり、前記変換手段が複数あることを特徴とする記録装置。
【請求項６】
請求項５記載の記録装置において、
複数の前記変換手段が、別々の前記発光素子から照射された紫外線を略平行光へと変換することを特徴とする記録装置。
【請求項７】
請求項６記載の記録装置において、
複数の前記変換手段が、前記光路切替手段による光路切替よりも上流側の光路に設けられ、別々の前記発光素子から照射された紫外線を略平行光へと変換することを特徴とする記録装置。
【請求項８】
請求項６記載の記録装置において、
複数の前記変換手段が、前記発光素子と同数配置され、別々の前記発光素子から照射された紫外線を略平行光へと変換することを特徴とする記録装置。
【請求項９】
請求項４記載の記録装置において、
前記発光素子が複数あり、前記変換手段が１つ設けられることを特徴とする記録装置。
【請求項１０】
請求項２乃至請求項９のいずれか１項記載の記録装置において、
前記発光素子による前記載置手段が載置した前記被記録媒体に対する照射領域の形状が前記走査方向に直交する線に関して対象形状であることを特徴とする記録装置。
【請求項１１】
請求項２乃至請求項１０項記載の記録装置において、
前記発光素子による前記載置手段が載置した前記被記録媒体に対する照射領域の形状が、前記第１光路を経由した発光素子による照射領域と前記第２光路を経由した発光素子による照射領域とで同じであることを特徴とする記録装置。
【請求項１２】
請求項２乃至請求項１１のいずれか１項記載の記録装置において、
閉じ状態の開閉手段若しくは一方側反射手段が、前記紫外線を水平方向から入射して反射するときの反射軸と当該水平方向とのなす角度をα、前記水平方向からの前記紫外線の入射位置の前記被記録媒体からの高さをＨ、前記印刷ヘッドの下面の前記被記録媒体からの高さをｈ、としたとき、
開閉手段若しくは一方側反射手段は、
前記入射位置から、前記印刷ヘッドの下面の前記一方側端部までの、水平方向距離Ｌが、
Ｌ  ≧  Ｈ／ｔａｎ（１８０°−２α）  ＋  ｈ／ｔａｎ（１８０°−２α）
となるように、配置されている
ことを特徴とする記録装置。
【発明の詳細な説明】
【技術分野】
【０００１】
本発明は、被記録媒体に対しインクを吐出し所望の記録を行う記録装置に関する。
【背景技術】
【０００２】
被記録媒体に対してインクを吐出し、そのインクに対して紫外線を照射して硬化させる記録装置が知られている（例えば、特許文献１参照）。この記録装置では、被記録媒体である記録用紙がセットされると、印刷ヘッド（記録ヘッド）が走査方向一方側と走査方向他方側とに交互に往復移動する。移動する印刷ヘッドから記録用紙に対しインクが吐出され、その後紫外線が照射されることによりインクが硬化する。
【０００３】
例えば、この従来技術のプリンタにおいて、印刷ヘッドを搬送する印刷ヘッド搬送手段（キャリッジ）に、紫外線発生源となる放電管と、可動平面反射鏡とが搭載されている構成を想定してみる。印刷ヘッドが走査方向一方側へと移動している場合には、可動平面反射鏡が放電管からの光路を印刷ヘッドの走査方向他方側へ切り替える。これにより、走査方向一方側へ移動する印刷ヘッドの移動方向の背後側において、記録用紙に吐出された直後のインクに対し照射を行うこと想定される。印刷ヘッドが走査方向他方側へと移動している場合には、可動平面反射鏡が上記光路を印刷ヘッドの走査方向一方側へと切り替える。これにより、走査方向他方側へ移動する印刷ヘッドの移動方向の背後側において、記録用紙に吐出された直後のインクに対し照射を行うことが想定される。
【先行技術文献】
【特許文献】
【０００４】
【特許文献１】特開昭６０−１３２７６７号公報
【発明の概要】
【発明が解決しようとする課題】
【０００５】
上記可動平面反射鏡が放電管からの光路を切り替えることにより、印刷ヘッドが走査方向一方側及び他方側のいずれへ移動している間でも、印刷ヘッドの移動方向の背後側において照射を行う。しかしながら、上記従来技術は、紫外線発生源である放電管が印刷ヘッド搬送手段に設けられ、印刷ヘッドと一緒に往復動する構造である。この結果、印刷ヘッド搬送手段の搭載重量が増大し、当該搬送のために必要な駆動系が大きくなるという問題があった。
【０００６】
本発明の目的は、印刷ヘッド搬送手段の搭載重量の増大を招くことなく、印刷ヘッドの往復動時の両方において紫外線照射を実行できる、記録装置を提供することにある。
【課題を解決するための手段】
【０００７】
上記目的を達成するために、第１の発明は、被記録媒体を載置可能な載置手段と、紫外線の露光により硬化するインクを、前記載置手段が載置した前記被記録媒体に対して吐出する印刷ヘッドと、前記印刷ヘッドを、走査方向一方側及び他方側に往復移動させるための印刷ヘッド搬送手段と、前記ヘッド搬送手段による前記走査方向への前記印刷ヘッドの移動範囲外に固定的に設けられ、前記載置手段が載置した前記被記録媒体に照射するための紫外線を発生する紫外線発生源と、前記固定的に設けられた前記紫外線発生源から発生された前記紫外線の、当該紫外線発生源から前記被記録媒体へ至るまでの光路の終端部を、前記印刷ヘッドの前記走査方向一方側を通過する第１光路と前記印刷ヘッドの前記走査方向他方側を通過する第２光路とに切替可能な光路切替手段と、を有することを特徴とする。
【０００８】
本願第１発明においては、載置手段に被記録媒体が載置されると、印刷ヘッド搬送手段により、印刷ヘッドが走査方向一方側と走査方向他方側とに交互に往復移動する。移動する印刷ヘッドからは、被記録媒体に対しインクが吐出される。
【０００９】
上記のように印刷ヘッドから吐出されたインクは、その後紫外線が照射されることにより硬化する。本願第１発明においては、記録装置における印刷ヘッドの移動範囲外に固定された紫外線発生源から紫外線が発生され、その紫外線が被記録媒体へ導かれることによって上記インクへの照射が行われる。紫外線の上記紫外線発生源から被記録媒体への光路は、印刷ヘッドが走査方向一方側へと移動しているか走査方向他方側へ移動しているかに応じて、光路切替手段によって切り替えられる。
【００１０】
印刷ヘッドが走査方向一方側へと移動している場合には、光路切替手段が上記光路の終端部を第２光路へと切り替える。第２光路は印刷ヘッドの走査方向他方側を通過して被記録媒体に到達することから、走査方向一方側へ移動する印刷ヘッドの移動方向の背後側において照射が行われる。これにより、被記録媒体に吐出された直後のインクに対し照射を行うことができる。印刷ヘッドが走査方向他方側へと移動している場合には、光路切替手段が上記光路の終端部を第１光路へと切り替える。第１光路は印刷ヘッドの走査方向一方側を通過して被記録媒体に到達することから、走査方向他方側へ移動する印刷ヘッドの移動方向の背後側において照射が行われる。これにより、被記録媒体に吐出された直後のインクに対し照射を行うことができる。
【００１１】
以上のようにして、本願第１発明においては、印刷ヘッドが走査方向一方側へ移動している間でも他方側へ移動している間でも、印刷ヘッドの移動方向の背後側において照射が行われ、被記録媒体に吐出された直後のインクに対し照射を行うことができる。これにより、被記録媒体に対し迅速な記録を行うことができる。また、紫外線発生源は印刷ヘッドの移動範囲外に固定的に設けられることにより、紫外線発生源が印刷ヘッド搬送手段に配置される場合のような、印刷ヘッド搬送手段の搭載重量増大を回避することができる。
【００１２】
第２発明は、上記第１発明において、前記紫外線発生源は、前記印刷ヘッドの移動範囲よりも前記走査方向一方側に設けられており、前記光路切替手段は、前記紫外線発生源から前記走査方向他方側へ出射された前記紫外線を入射して前記印刷ヘッドの前記走査方向他方側へ所定の反射角で反射し、前記第２光路を生成する他方側反射手段と、開閉可能に構成され、閉じ状態においては、前記紫外線発生源から前記走査方向他方側へ出射された前記紫外線を入射して前記印刷ヘッドの前記走査方向一方側へ所定の反射角で反射し前記第１光路を生成するとともに、開き状態においては、前記紫外線発生源から前記走査方向他方側へ出射された前記紫外線を前記他方側反射手段へと導く、開閉手段と、を有することを特徴とする。
【００１３】
本願第２発明においては、光路切替手段は、開閉手段と、他方側反射手段とを備える。印刷ヘッドが走査方向一方側へと移動している場合には、開閉手段が開かれる。これにより、紫外線発生源から走査方向他方側へ出射された紫外線が、開き状態の開閉手段を介し、他方側反射手段へと導かれる。他方側反射手段は入射した紫外線を所定の反射角で反射して第２光路を生成する。第２光路は印刷ヘッドの走査方向他方側を通過して被記録媒体に到達することから、走査方向一方側へ移動する印刷ヘッドの移動方向の背後側において照射が行われる。これにより、被記録媒体に吐出された直後のインクに対し照射を行うことができる。
【００１４】
印刷ヘッドが走査方向他方側へと移動している場合には、開閉手段が閉じられる。これにより、紫外線発生源から走査方向他方側へ出射された紫外線を、閉じ状態の開閉手段が所定の反射角で反射して第１光路を生成する。第１光路は印刷ヘッドの走査方向一方側を通過して被記録媒体に到達することから、走査方向他方側へ移動する印刷ヘッドの移動方向の背後側において照射が行われる。これにより、被記録媒体に吐出された直後のインクに対し照射を行うことができる。
【００１５】
以上のようにして、本願第２発明においては、印刷ヘッドが走査方向一方側へ移動している間でも他方側へ移動している間でも、印刷ヘッドの移動方向の背後側において照射が行われ、被記録媒体に吐出された直後のインクに対し照射を行うことができる。また、開閉手段の開閉動作を利用して光路の切替を行うことにより、第１光路側と第２光路側の両方に２つの反射手段を設ける必要がなく、他方側反射手段のみ設ければ足りる。これにより、部品点数を軽減し装置の製造コストを低減することができる。
【００１６】
第３発明は、上記第１発明において、前記光路切替手段は、前記走査方向に直交する方向における第１反射位置に位置し、前記紫外線発生源から前記走査方向他方側へ出射された前記紫外線を入射して前記印刷ヘッドの前記走査方向一方側へ所定の反射角で反射して前記第１光路を生成する一方側反射手段と、前記走査方向に直交する方向における前記第１反射位置とは異なる第２反射位置に位置し、前記紫外線発生源から前記走査方向他方側へ出射された前記紫外線を入射して前記印刷ヘッドの前記走査方向他方側へ所定の反射角で反射して前記第２光路を生成する他方側反射手段と、前記紫外線発生源を、前記第１反射位置に対応した第１移動位置、及び、前記第２反射位置に対応した第２移動位置、に移動可能な移動機構と、を有することを特徴とする。
【００１７】
本願第３発明においては、光路切替手段は、第１反射位置に位置する一方側反射手段と、第２反射位置に位置する他方側反射手段と、第１移動位置及び第２移動位置に紫外線発生源を移動可能な移動機構と、を備える。
【００１８】
印刷ヘッドが走査方向一方側へと移動している場合には、移動機構によって紫外線発生源は第２移動位置に移動する。これにより、紫外線発生源から走査方向他方側へ出射された紫外線が、第２反射位置に位置する他方側反射手段へと導かれる。他方側反射手段は入射した紫外線を所定の反射角で反射して第２光路を生成する。第２光路は印刷ヘッドの走査方向他方側を通過して被記録媒体に到達することから、走査方向一方側へ移動する印刷ヘッドの移動方向の背後側において照射が行われる。これにより、被記録媒体に吐出された直後のインクに対し照射を行うことができる。
【００１９】
印刷ヘッドが走査方向他方側へと移動している場合には、移動機構によって紫外線発生源は第１移動位置に移動する。これにより、紫外線発生源から走査方向他方側へ出射された紫外線が、上記第２反射位置とは異なる第１反射位置に位置する一方側反射手段へと導かれる。一方側反射手段は入射した紫外線を所定の反射角で反射して第１光路を生成する。第１光路は印刷ヘッドの走査方向一方側を通過して被記録媒体に到達することから、走査方向他方側へ移動する印刷ヘッドの移動方向の背後側において照射が行われる。これにより、被記録媒体に吐出された直後のインクに対し照射を行うことができる。
【００２０】
以上のようにして、本願第３発明においては、印刷ヘッドが走査方向一方側へ移動している間でも他方側へ移動している間でも、印刷ヘッドの移動方向の背後側において照射が行われ、被記録媒体に吐出された直後のインクに対し照射を行うことができる。また、第１光路と第２光路との切替のために必要なる動作が、印刷ヘッドの移動範囲外に固定的に設けられた紫外線発生源の移動のみであり、印刷ヘッド搬送手段の搭載物における切替動作等は必要ない。したがって、印刷ヘッド搬送手段の搭載物（ヘッドユニット）に光路の切替機構等を設ける場合のように生じうる振動の発生等を回避でき、印刷品質の低下を確実に防止することができる。
【００２１】
第４発明は、上記第２又は第３発明において、前記紫外線発生源は、少なくとも１つの発光素子と、前記発光素子から広がりながら発光された光を略平行光へと変換する変換手段と、を備えており、前記第１光路及び前記第２光路には、前記略平行光を所定の角度で広げる拡散手段が設けられていることを特徴とする。
【００２２】
本願第４発明においては、第１光路及び第２光路の拡散手段に到達するまでは、紫外線発生源からの紫外線は略平行光の態様で導かれる。これにより、記録装置の製造時における各部品の組み付け時に生じうる誤差により上記略平行光の光線方向における距離が変動したとしても、ビーム径は変化しない。この結果、記録装置の製造時における部品の加工精度や組立精度を比較的低く抑えることが可能となり、製造コストを低減することができる。
【００２３】
第５発明は、上記第２又は第３発明において、前記紫外線発生源は、少なくとも１つの発光素子と、前記発光素子から広がりながら発光された光を略平行光へと変換する変換手段と、を備えており、前記発光素子の光源部分が間隔をあけて複数あり、前記変換手段が複数あることを特徴とする。
【００２４】
これにより、変換手段を１つだけ設けその唯一の変換手段で間隔のあいた複数の発光素子の光源部分の全ての紫外線を平行光にする構成する場合よりも、変換手段が小型化ものですみ、配置の自由度が増す。
【００２５】
第６発明は、上記第５発明において、複数の前記変換手段が、別々の前記発光素子から照射された紫外線を略平行光へと変換することを特徴とする。
【００２６】
複数の変換手段がそれぞれ別々の発光素子からの紫外線を略平行光とすることにより、変換手段が小型化する。
【００２７】
第７発明は、上記第６発明において、複数の前記変換手段が、前記光路切替手段による光路切替よりも上流側の光路に設けられ、別々の前記発光素子から照射された紫外線を略平行光へと変換することを特徴とする。
【００２８】
変換手段による光路切替の下流側において、双方の光路に同数の変換手段を設けた構成に比べ、変換手段の数が半分で済む。
【００２９】
第８発明は、上記第６発明において、複数の前記変換手段が、前記発光素子と同数配置され、別々の前記発光素子から照射された紫外線を略平行光へと変換することを特徴とする。
【００３０】
これにより、変換手段を１つだけ設けその唯一の変換手段で、間隔のあいた複数の発光素子の光源部分の紫外線を平行光にする構成する場合よりも、変換手段が小型化ものですみ、配置の自由度が増す。
【００３１】
第９発明は、上記第４発明において、前記発光素子が複数あり、前記変換手段が１つ設けられることを特徴とする。
【００３２】
複数の変換手段を設ける場合よりも、変換手段の設置が容易である。
【００３３】
第１０発明は、上記第２乃至第９発明のいずれか１つにおいて、前記発光素子による前記載置手段が載置した前記被記録媒体に対する照射領域の形状が前記走査方向に直交する線に関して対象形状であることを特徴とする。
【００３４】
これにより、均一な照射を行うことができる。
【００３５】
第１１発明は、上記第２乃至第１０発明のいずれか１つにおいて、前記発光素子による前記載置手段が載置した前記被記録媒体に対する照射領域の形状が、前記第１光路を経由した発光素子による照射領域と前記第２光路を経由した発光素子による照射領域とで同じであることを特徴とする。
【００３６】
これにより、印刷ヘッドが走査方向一方側へ移動している間でも他方側へ移動している間でも、同等の照射領域を確保することができる。
【００３７】
第１２発明は、上記第２乃至第１１発明のいずれか１つにおいて、閉じ状態の開閉手段若しくは一方側反射手段が、前記紫外線を水平方向から入射して反射するときの反射軸と当該水平方向とのなす角度をα、前記水平方向からの前記紫外線の入射位置の前記被記録媒体からの高さをＨ、前記印刷ヘッドの下面の前記被記録媒体からの高さをｈ、としたとき、開閉手段若しくは一方側反射手段は、前記入射位置から、前記印刷ヘッドの下面の前記一方側端部までの、水平方向距離Ｌが、Ｌ  ≧  Ｈ／ｔａｎ（１８０°−２α）  ＋  ｈ／ｔａｎ（１８０°−２α）となるように、配置されていることを特徴とする。
【００３８】
本願第１２発明においては、上記の寸法関係を満たすことにより、開閉手段又は一方側反射手段により生成された第１光路を経て記録媒体に照射された紫外線の反射光が印刷ヘッドの下面の一方側端部より他方側へと導かれることはない。これにより、印刷ヘッドの下面に対し紫外線が到達するのを防止できるので、吐出前のインクに誤って紫外線が照射され必要以上に早くインクの硬化が開始されるのを防止することができる。
【発明の効果】
【００３９】
本発明によれば、印刷ヘッド搬送手段の搭載重量の増大を招くことなく、印刷ヘッドの往復動時の両方において紫外線照射を実行することができる。
【図面の簡単な説明】
【００４０】
【図１】本発明の記録装置の一実施の形態を示す正面図である。
【図２】図１の記録装置に設置された紫外線発生源の発光素子の配置を示す正面図である。
【図３】紫外線発生源の発光素子に設けられたコリメータレンズの配置を示す正面図である。
【図４】第１光路及びシャッタと、紫外線発生源と、印刷ヘッドの位置関係について示す説明図である。
【図５】記録装置の印刷ヘッドの走査時のタイミングチャートである。
【図６】紫外線発生源を移動可能に配置する変形例の記録装置を示す正面図である。
【図７】図６の記録装置の紫外線発生源からの紫外線の光路に設けられた拡散ミラーを示す正面図である。
【図８】記録装置に設置される移動機構を示す正面図である。
【図９】平板状の反射ミラーを用いる変形例の記録装置を示す正面図である。
【図１０】凸レンズを用いる変形例の記録装置を示す正面図である。
【発明を実施するための形態】
【００４１】
以下、本発明の一実施の形態を図面を参照しつつ説明する。
【００４２】
図１は、本発明の記録装置の一実施の形態を示す正面図である。本実施形態の記録装置１は、紙や布等の被記録媒体Ｐを載置して水平方向に支持する載置テーブル２（載置手段）と、紫外線の露光により硬化するインクを、載置テーブル２が載置した被記録媒体Ｐに対して吐出する印刷ヘッド３と、この印刷ヘッド３を搭載して、印刷ヘッド３を、図１中の左側（＝走査方向一方側。以下適宜、単に「左側」という）及び図１中の右側（＝走査方向他方側。以下適宜、単に「右側」という）に往復移動させるキャリッジ４（印刷ヘッド搬送手段)と、このキャリッジ４による上記走査方向への印刷ヘッド３の移動範囲外に固定的に設けられた紫外線発生源１０と、キャリッジ４に設けられた光路切替機構２０（光路切替手段）とを有している。
【００４３】
載置テーブル２の例えば左側には、適時、印刷ヘッド３のノズル孔からインクを噴出してノズル孔のインク詰まり等を噴射除去するフラッシング部７が設けられ、載置テーブル２の上記走査方向の例えば他方側には、印刷ヘッド３のノズル孔の残りのインク等を吸引除去するパージング部８が設けられている。
【００４４】
印刷ヘッド３は、例えばイエロー（Ｙ）、マゼンタ（Ｍ）、シアン（Ｃ）、ブラック（Ｂｋ）の４色のインクを各別に吐出するノズル孔を備えている。各色のノズル孔は、印刷ヘッド３の下面（載置テーブル２側の面）のノズル面３ａに上記走査方向と直交する直交方向に沿って配列され開口されている。
【００４５】
キャリッジ４は、上記走査方向に延びる複数本のガイドバー５に摺動自在に支持されている。このキャリッジ４には、無端ベルト駆動方式等の図示しない駆動機構が具備されている。キャリッジ４は、駆動機構による駆動によってガイドバー５を案内として上記走査方向に沿って往復移動され、これにともない印刷ヘッド３が走査方向に沿って往復移動する。
【００４６】
紫外線発生源１０は、載置テーブル２が載置した被記録媒体Ｐに照射する紫外線を発生する。この紫外線発生源１０は、キャリッジ４による印刷ヘッド３の移動範囲よりも上記左側に設置されている。この紫外線発生源１０は、紫外線を発光する光源部（図示せず）を備えたＵＶＬＥＤ等の発光素子１１を、少なくとも１個（この例では７個）備えている。７個の発光素子１１は、図２に示すように、素子基板１１ａに実装されている。
【００４７】
発光素子１１は、印刷ヘッド３の走査方向と直交する直交方向（図２参照）に配列されている。また、発光素子１１は、この例では、素子基板１１ａに対し上下・左右方向に互い違いになるよういわゆる千鳥配置状に設置されている。これにより、紫外線発生源１０から（上記走査方向の他方側に）出射された紫外線と直交する断面における、光密度のムラを小さくすることができる。
【００４８】
紫外線発生源１０の紫外線出射側の直近位置には、発光素子１１から広がりながら発光される紫外線を発光素子１１の光軸と略平行な平行光に変換するために、コリメータレンズ１２（変換手段）が配置されている。この例では、７個の発光素子１１それぞれに対応するように、７個のコリメータレンズ１２が設けられている。また発光素子１１は、それぞれの上記光源部が互いに略等間隔となるように配置されており、これに対応して、上記コリメータレンズ１２も互いに略等間隔となるように配置されている。
【００４９】
紫外線発生源１０から出射された紫外線は、コリメータレンズ１２による変換を経ることによって、紫外線発生源１０から被記録媒体Ｐへ至るまでの光路３０中に介挿した拡散レンズ２３（後述）に到達するまでは、光路３０を略平行光の態様で導かれる。
【００５０】
なお、コリメータレンズ１２は、紫外線発生源１０の複数の発光素子１１の全てを１つでカバーする大きい形状のもの、紫外線発生源１０の複数の発光素子１１の全てを１つずつ同数個でカバーする小さい形状のもの（本実施形態の例）、紫外線発生源１０の複数の発光素子１１の全てを数個ずつに分けて幾つかの個数でカバーする中程度の大きさのもの、これらのいずれでもよい。大きい形状のコリメータレンズを用いれば、設置が容易になる利点はあるが、本実施形態では、図３に示すように、紫外線発生源１０の複数の発光素子１１の全てを１つずつ同数個でカバーする小さい形状のコリメータレンズ１２を使用している。これにより、大型の唯一のコリメータレンズを用い、間隔を開けて配置された複数の発光素子１１の全てをカバーする場合に比べ、レンズを小型化でき、配置の自由度が増す効果がある。
【００５１】
光路切替機構２０は、紫外線発生源１０から出射された被記録媒体Ｐへ至るまでの紫外線の光路３０の終端部を、印刷ヘッド３の左側を通過する第１光路３１と印刷ヘッド３の右側を通過する第２光路３２とに切替えるためのものである。この光路切替機構２０は、キャリッジ４に揺動可能に設けられ、紫外線発生源１０からの紫外線の光路３０に対し開閉自在なシャッタ２１（開閉手段）と、キャリッジ４に固定的に設けられ、光路３０に介挿された反射ミラー２２（他方側反射手段）とを備えている。
【００５２】
シャッタ２１は、平板状の反射板からなり、印刷ヘッド３の上記左側において走査方向と直交する水平方向に設置された支軸２１ａを備えている。そして、シャッタ２１は、上記支軸２１ａを支点として揺動することにより、紫外線発生源１０からの紫外線の光路３０に挿入された閉じ状態と、光路３０から退避した開き状態とに開閉し切替可能となっている。
【００５３】
閉じ状態においては、シャッタ２１は、印刷ヘッド３の左側において走査方向と直交する鉛直方向（上下方向）で、紫外線発生源１０からの紫外線の光路３０上に位置し、かつ上記走査方向を含む鉛直面内において左側へ所定の角度θ（＝４５°）で前傾している。そして、シャッタ２１は、紫外線発生源１０からの紫外線を入射し、印刷ヘッド３の左側へ所定の反射角（前傾角度θと略同じ角度）で反射し、第１光路３１を生成する。これにより、紫外線発生源１０から被記録媒体Ｐへ到達する紫外線の光路３０の終端部が、第１光路３１に切り替えられる。
【００５４】
この第１光路３１への切替は、印刷ヘッド３が右側へ向かって移動している場合に行う。紫外線発生源１０から上記右側へ出射された紫外線は、光路３０をシャッタ２１まで進んだ後、シャッタ２１で反射されて第１光路３１に進み、印刷ヘッド３の左側を通過して、右側へ向かって移動している印刷ヘッド３の移動方向の背面側（つまり左側）において載置テーブル２上の被記録媒体Ｐに照射される。
【００５５】
一方、開き状態においては、シャッタ２１は、印刷ヘッド３の上記左側において走査方向と直交する鉛直方向（上下方向）で、紫外線発生源１０からの紫外線の光路３０から上方に退避し、紫外線発生源１０からの紫外線を反射ミラー２２に導く。
【００５６】
反射ミラー２２は、平板状の反射板からなり、印刷ヘッド３の上記右側において走査方向に直交する鉛直方向（この例では上方）に設置されている。この状態で、反射ミラー２２は、紫外線発生源１０からの紫外線の光路３０上に位置し、かつ印刷ヘッド３の左側へ向かって所定の角度θ（＝４５°）で前傾している。そして、反射ミラー２２は、上記開き状態のシャッタ２１を介して導かれた紫外線発生源１０からの紫外線を入射して、印刷ヘッド３の右側へ所定の反射角（反射ミラー２２の前傾角度θと略同じ角度）で反射し、第２光路３２を生成する。これにより、紫外線発生源１０から被記録媒体Ｐへ到達する紫外線の光路３０の終端部が、第２光路３２に切り替えられる。
【００５７】
この第２光路３２への切替は、印刷ヘッド３が左側へ向かって移動している場合に行う。紫外線発生源１０から上記右側へ出射された紫外線は、光路３０を他方側の反射ミラー２２まで進んだ後、第２光路３２に進んで印刷ヘッド３の右側を通過し、左側へ向かって移動している印刷ヘッド３の移動方向の背面側において載置テーブル２上の被記録媒体Ｐに照射される。
【００５８】
また、図１に示すように、第１光路３１、第２光路３２のそれぞれの終端直前には、凹レンズ等の拡散レンズ２３（拡散手段）が設けられている。この拡散レンズ２３は、載置テーブル２に載置された被記録媒体Ｐへの紫外線の照射ムラを小さくするためのものである。拡散レンズ２３は、第１光路３１、第２光路３２を進んだ略平行光の紫外線のスポットを円形のまま拡径するようになっている。あるいは、拡散レンズ２３は、第１光路３１、第２光路３２を進んだ略平行光の紫外線のスポットを、印刷ヘッド３の走査方向と直交する方向にのみ楕円形に拡径してもよい。すなわち、被記録媒体Ｐに照射される紫外線のスポットは、印刷ヘッド３の走査方向では当該印刷ヘッド３の走査によって重なりが生じるので照射ムラが起こりづらい。これに対し、上記走査方向と直交する方向では、印刷ヘッド３の走査による重なりが生じにくいので照射ムラが起こりやすい。したがって、拡散レンズ２３は、紫外線を上記走査方向と直交する方向にのみ楕円形に拡径して、当該直交方向で紫外線のスポットの重なりを生じさせるものが好ましい。
【００５９】
なお、第１光路３１による被記録媒体Ｐの上記左側の照射領域の形状と第２光路３２による被記録媒体Ｐの上記右側の照射領域の形状とは、被記録媒体Ｐに対する照射を均等にするため、上記走査方向に直交する直交線（図１中の上下方向の線）に対し線対称とし、さらには同一形状であることが好ましい。
【００６０】
なお、上記第１光路３１及びシャッタ２１と、紫外線発生源１０と、印刷ヘッド３は、例えば図４に示すような位置関係となっている。すなわち、図４に示すように、紫外線発生源１０からの紫外線を水平方向からシャッタ２１の表面に入射して反射するときの反射軸（入射面の法線ｎ）と当該水平方向とのなす角度をα、水平方向からの紫外線の入射位置の被記録媒体Ｐからの高さをＨ、印刷ヘッド３の下面の被記録媒体Ｐからの高さをｈとしたとき、シャッタ２１は、上記入射位置から、印刷ヘッド３の下面の前記一方側(左側)端部までの、水平方向距離Ｌが、Ｌ  ≧  Ｈ／ｔａｎ（１８０°−２α）  ＋  ｈ／ｔａｎ（１８０°−２α）となるように、配置されている。
【００６１】
以上のように構成した本実施形態の作用効果を以下に説明する。
【００６２】
上記記録装置１において、載置テーブル２に被記録媒体Ｐが載置されると、キャリッジ４により印刷ヘッド３が左側と右側とに交互に往復移動し、移動する印刷ヘッド３からは、被記録媒体Ｐに対しインクが吐出され、被記録媒体Ｐの表面に文字、画像等の記録像が描画される。そして、その後、印刷ヘッドから吐出されたインクに紫外線が照射されることにより硬化して、被記録媒体Ｐへの記録像の定着が完了し、記録が終了する。その際、記録装置１における印刷ヘッド３の移動範囲外に固定された紫外線発生源１０から紫外線が発生され、その紫外線が被記録媒体Ｐへ導かれることによって上記インクへの照射が行われる。
【００６３】
本実施形態では、紫外線の上記紫外線発生源１０から被記録媒体Ｐへの光路３０は、印刷ヘッド３が左側へと移動しているか右側へ移動しているかに応じて、光路切替機構２０によって切り替えられる。印刷ヘッド３が左側へと移動している場合には、光路切替機構２０のシャッタ２１が開かれる。これにより、紫外線発生源１０から右側へ出射された紫外線が、開き状態のシャッタ２１を介し、他方側の反射ミラー２２へと導かれる。反射ミラー２２は、入射した紫外線を所定の反射角で反射して第２光路３２を生成する。第２光路３２は印刷ヘッド３の右側を通過して被記録媒体Ｐに到達することから、左側へ移動する印刷ヘッド３の移動方向の背後側において照射が行われる。これにより、被記録媒体Ｐに吐出された直後のインクに対し照射を行うことができる。
【００６４】
一方、印刷ヘッド３が右側へと移動している場合には、シャッタ２１が閉じられる。これにより、紫外線発生源１０から右側へ出射された紫外線を、閉じ状態のシャッタ２１が所定の反射角で反射して第１光路３１を生成する。第１光路３１は印刷ヘッド３の左側を通過して被記録媒体Ｐに到達することから、右側へ移動する印刷ヘッド３の移動方向の背後側において照射が行われる。これにより、被記録媒体Ｐに吐出された直後のインクに対し照射を行うことができる。
【００６５】
以上のように、本実施形態の記録装置１においては、印刷ヘッド３が左側へ移動している間でも右側へ移動している間でも、印刷ヘッド３の移動方向の背後側において照射が行われ、被記録媒体Ｐに吐出された直後のインクに対し照射を行うことができる。これにより、被記録媒体Ｐに対し迅速な記録を行うことができる。
【００６６】
図５は、上記のようにして印刷ヘッド３が左側（走査方向一方側）及び右側(走査方向他方側)へ交互に走査され往復動するときの、印刷ヘッド３及び紫外線発生源１０の制御態様を表す、タイミングチャートである。上記したように、印刷ヘッド３が左側へ走査中のときには紫外線発生源１０から出射された紫外線が第２光路３２へ導かれて照射され、印刷ヘッド３が右側へ走査中のときには紫外線発生源１０から出射された紫外線が第１光路３１へ導かれて照射される。なお、上記の第１光路３１と第２光路３２との間で光路切り替えを行うためにシャッタ２１が閉じ状態から開き状態へ、開き状態から閉じ状態へ駆動されている途中では、図示のように、記録装置１に設けた照射制御手段（図示せず）が発光素子１１を消灯するように制御し、紫外線の照射を中止する。これにより、無駄な電力消費を低減することができる。また、シャッタ２１から不特定な方向に紫外線が反射されることで誤ってノズル孔に紫外線が照射され、例えばインクが固まってノズル孔が詰まる等の種々の不具合が起こるのを確実に防止することができる。
【００６７】
そして、本実施形態においては、紫外線発生源１０が、印刷ヘッド３の移動範囲外に固定的に設けられることにより、紫外線発生源１０がキャリッジ４に配置される従来構造のような、キャリッジ４の搭載重量（印刷ヘッド３を含むヘッドユニットの重量）の増大を回避することができる。すなわち、キャリッジ４の搭載重量増大を招くことなく、印刷ヘッド３の往復動時の両方において紫外線照射を実行することができる。
【００６８】
また、本実施形態では特に、シャッタ２１が、Ｌ  ≧  Ｈ／ｔａｎ（１８０°−２α）  ＋  ｈ／ｔａｎ（１８０°−２α）の寸法関係を満たすように配置されている。これにより、シャッタ２１により生成された第１光路３１を経て被記録媒体Ｐに照射された紫外線の反射光が印刷ヘッド３の下面の一方側端部より他方側へと導かれることはない。この結果、印刷ヘッド３の下面に対し紫外線が到達するのを防止できるので、吐出前のインクに誤って紫外線が照射され、印字ヘッド３のノズル孔が硬化したインクで詰まってインクの吐出不良が起こることを防止できる。なお、上記の位置関係の設定はシャッタ２１について説明したが、後述の、図６に示す変形例の光路切替機構２０の左拡散ミラー２４や、図９に示す変形例の光路切替機構２０の左反射ミラー２７についても、上記シャッタ２１と同様の位置設定となっており、同様の効果を得ることができる。
【００６９】
また、本実施形態では特に、開閉自在なシャッタ２１の開閉動作を利用して光路３０の切替を行うことにより、第１光路３１側と第２光路３２側の両方に２つの反射手段を設ける必要がなく、右側の反射ミラー２２のみを設ければ足りる。これにより、部品点数を軽減し装置の製造コストを低減できる効果がある。
【００７０】
また、本実施形態では特に、コリメータレンズ１２からの紫外線が第１光路３１又は第２光路３２の拡散レンズ２３に到達するまでは、光路３０を略平行光の態様で導かれる。これにより、記録装置１の製造時における各部品の組み付け時に生じうる誤差により上記略平行光の光線方向における距離が変動したとしても、ビーム径は変化しない。この結果、記録装置１の製造時における部品の加工精度や組立精度を比較的低く抑えることが可能となり、製造コストを低減することができる。
【００７１】
なお、本発明は、上記実施形態に限られず、技術思想を逸脱しない範囲で種々の変形が可能である。以下、そのような変形例について説明する。
【００７２】
（１）紫外線発生源を移動可能に配置する場合
上記実施形態においては、紫外線発生源１０からの紫外線を、開閉自在なシャッタ２１を用いて、印刷ヘッド３の左側を通過する第１光路３１と右側を通過する第２光路３２とに切り替えた。本変形例では、図６に示すように、紫外線発生源１０を移動することによって光路が切り替えられる。なお、上記実施形態と同等の部分には同一の符号を付し、適宜説明を省略又は簡略化している。
【００７３】
図６において、本変形例の光路切替機構２０は、キャリッジ３に設けられた図６中の左側（＝走査方向一方側。以下適宜、単に「左側」という）の左拡散ミラー２４（一方側反射手段、拡散手段）及び右拡散ミラー２５（他方側反射手段、拡散手段）と、キャリッジ４による上記走査方向への印刷ヘッド３の移動範囲外の左側に固定的に設けられた、紫外線発生源１０を上下方向に移動可能な移動機構４０と、を備えている。
【００７４】
左拡散ミラー２４及び右拡散ミラー２５は、図７に示すように、例えばアルミ板２６ａの表面に二フッ化マグネシウム（ＭｇＦ２）コートした凸面の複数のアルミ鏡面２６を設けたものである。アルミ鏡面２６は、好ましくは、紫外線発生源１０の発光素子１１と同数とし、１個の発光素子１１に１個のアルミ鏡面２６が対応するように、発光素子１１と対応した配置となっている。
【００７５】
左拡散ミラー２４は、印刷ヘッド３の左側において走査方向と直交する鉛直方向（上下方向）における第１反射位置で、左側へ所定の角度θ（＝４５°）で前傾している。この左拡散ミラー２４は、上記移動機構４０により移動して上記第１反射位置に対応した高さの第１移動位置に紫外線発生源１０が到達したときの、当該紫外線発生源１０から図６中の右側（＝走査方向他方側。以下適宜、単に「右側」という）へ出射された紫外線の光路３０上に位置している。
【００７６】
一方、右拡散ミラー２５は、印刷ヘッド３の右側において走査方向に直交する鉛直方向（上下方向）における、上記第１位置とは高さの異なる（この例では上記第１位置よりも低い位置の）第２反射位置で、上記左側へ所定の角度θ（＝４５°）で前傾している。この右拡散ミラー２５は、上記移動機構４０により移動して上記第２反射位置に対応した高さの第２移動位置に紫外線発生源１０が到達したときの、当該紫外線発生源１０から右側へ出射された紫外線の光路３０上に位置している。
【００７７】
移動機構４０は、この例では、図８に示すように、上下１対のスプロケット４１ａ，４１ｂと、これらスプロケット４１ａ，４１ｂに架け回して、鉛直方向に周回可能な段付きの無端ベルト４２と、一方のスプロケット４１ａに取り付けたステップモータ４３と、を備えている。このとき、紫外線発生源１０及びコリメータレンズ１２は、筐体４４に設置されている。筐体４４は、上記走査方向と直交する方向に間隔を開けた１対の鉛直方向のガイドバー４５，４５の間に摺動自在に支持されており、その筐体４４の図８中左側の側面が上記無端ベルト４２に固着されている。移動機構４０は、ステップモータ４３の駆動力によってスプロケット４１ａを介し無端ベルト４２を鉛直方向に正逆に駆動する。これにより、紫外線発生源１０が、コリメータレンズ１２とともに、上記第１反射位置に対応した上記第１移動位置、又は、上記第２反射位置に対応した上記第２移動位置に、選択的に移動する。
【００７８】
詳細には、キャリッジ４により印刷ヘッド３が左側へ向かって移動しているときには、移動機構４０によって紫外線発生源１０は第２移動位置に移動する（図６中の破線で示す状態）。これにより、紫外線発生源１０から右側へ出射された紫外線が、第２反射位置に位置する右拡散ミラー２５へと導かれる。右拡散ミラー２５は入射した紫外線を所定の反射角（右拡散ミラー２５の前傾角度θと略同じ角度）で反射して、第２光路３２を生成する。第２光路３２は印刷ヘッド３の右側を通過して被記録媒体Ｐに到達することから、左側へ向かって移動する印刷ヘッド３の移動方向の背後側において照射が行われる。これにより、被記録媒体Ｐに吐出された直後のインクに対し照射を行うことができる。
【００７９】
一方、キャリッジ４により印刷ヘッド３が右側へ向かって移動しているときには、移動機構４０によって紫外線発生源１０は第１移動位置に移動する（図６中の実線で示す状態）。これにより、紫外線発生源１０から右側へ出射された紫外線が、上記第１反射位置に位置する左拡散ミラー２４へと導かれる。左拡散ミラー２４は入射した紫外線を所定の反射角（左拡散ミラー２４の前傾角度θと略同じ角度）で反射して、第１光路３１を生成する。第１光路３１は印刷ヘッド３の左側を通過して被記録媒体Ｐに到達することから、右側へ移動する印刷ヘッド３の移動方向の背後側において照射が行われる。これにより、被記録媒体Ｐに吐出された直後のインクに対し照射を行うことができる。なお、上記のようなキャリッジ４の搬送方向の切り替え、及び、移動機構４０の移動方向の切り替えは、図示しない制御装置からの制御信号に基づき、互いに連携して制御される。
【００８０】
以上のように、本変形例の記録装置１においても、上記実施形態と同様、印刷ヘッド３が左側へ移動している間でも右側へ移動している間でも、印刷ヘッド３の移動方向の背後側において照射が行われ、被記録媒体Ｐに吐出された直後のインクに対し照射を行うことができる。そして、紫外線発生源１０が、印刷ヘッド３の移動範囲外に固定的に設けられることにより、上記実施形態と同様、キャリッジ４の搭載重量増大を招くことなく、印刷ヘッド３の往復動時の両方において紫外線照射を実行することができる。
【００８１】
また、第１光路３１と第２光路３２との切替のために必要な動作が、印刷ヘッド３の移動範囲外に固定的に設けられた紫外線発生源１０の移動のみであり、キャリッジ４の搭載物（ヘッドユニット）における切替動作等は必要ない。したがって、当該ヘッドユニットに光路の切替機構等を設ける場合のように生じうる振動の発生等を回避でき、印刷品質の低下を確実に防止することができる。
【００８２】
（２）平板状の反射ミラーを用いる場合
この変形例では、上記図６に示した（１）の変形例における、左・右拡散ミラー２４，２５に代えて、図９に示すように、平板状の反射板からなる左反射ミラー２７（一方側反射手段）及び右反射ミラー２８（他方側反射手段）が用いられる。なお、上記実施形態及び（１）の変形例と同等の部分には同一の符号を付し、適宜説明を省略又は簡略化している。また、この変形例では、平板状の反射板からなる反射ミラー２７，２８を使用したことから、第１光路３１、第２光路３２のそれぞれの終端直前に、図６では使用していない拡散レンズ２３がそれぞれ設けられている。なお、この拡散レンズ２３は、載置テーブル２が載置した被記録媒体Ｐへの紫外線の照射ムラを小さくするためのもので、図１に示したものと同等の構成である。
【００８３】
左反射ミラー２７は、印刷ヘッド３の図９中の左側（＝走査方向一方側。以下適宜、単に「左側」という）において走査方向に直交する鉛直方向（上下方向）における第１反射位置で、上記左側へ所定の角度θ（＝４５°）で前傾している。この左反射ミラー２７は、上記移動機構４０により移動して上記第１反射位置と対応した高さの第１移動位置に紫外線発生源１０が到達したときの、当該紫外線発生源１０から図９中の右側（＝走査方向他方側。以下適宜、単に「右側」という）へ出射された紫外線の光路３０上に位置している。
【００８４】
一方、右反射ミラー２８は、印刷ヘッド３の右側において走査方向に直交する鉛直方向（上下方向）における、上記第１反射位置と高さの異なる（この例では上記第１位置よりも低い位置の）第２反射位置で、上記左側へ所定の角度θ（＝４５°）で前傾している。この右反射ミラー２８は、上記移動機構４０により移動して上記第２反射位置に対応した高さの第２移動位置に紫外線発生源１０が到達したときの、当該紫外線発生源１０から右側へ出射された紫外線の光路３０上に位置している。
【００８５】
そして、キャリッジ４により印刷ヘッド３が左側へ向かって移動しているときには、移動機構４０によって紫外線発生源１０は第２移動位置に移動する（図９中の破線で示す状態）。これにより、紫外線発生源１０から右側へ出射された紫外線が、第２反射位置に位置する右反射ミラー２８へと導かれる。右反射ミラー２８は入射した紫外線を所定の反射角（右反射ミラー２８の前傾角度θと略同じ角度）で反射して、第２光路３２を生成する。第２光路３２は印刷ヘッド３の右側を通過した後拡散レンズ２３で拡散されて被記録媒体Ｐに到達することから、左側へ移動する印刷ヘッド３の移動方向の背後側において照射が行われる。これにより、被記録媒体Ｐに吐出された直後のインクに対し照射を行うことができる。
【００８６】
一方、キャリッジ４により印刷ヘッド３が右側へ向かって移動しているときには、移動機構４０によって紫外線発生源１０は第１移動位置に移動する（図９中の実線で示す状態）。これにより、紫外線発生源１０から右側へ出射された紫外線が、上記第１反射位置に位置する左反射ミラー２７へと導かれる。左反射ミラー２７は入射した紫外線を所定の反射角（左反射ミラーの前傾角度θと略同じ角度）で反射して、第１光路３１を生成する。第１光路３１は印刷ヘッド３の左側を通過した後拡散レンズ２３で拡散されて被記録媒体Ｐに到達することから、右側へ移動する印刷ヘッド３の移動方向の背後側において照射が行われる。これにより、被記録媒体Ｐに吐出された直後のインクに対し照射を行うことができる。
【００８７】
以上のように、本変形例の記録装置１においても、上記（１）の変形例と同様、印刷ヘッド３が左側へ移動している間でも右側へ移動している間でも、印刷ヘッド３の移動方向の背後側において照射が行われ、被記録媒体Ｐに吐出された直後のインクに対し照射を行うことができる。そして、紫外線発生源１０が、印刷ヘッド３の移動範囲外に固定的に設けられることにより、上記と同様、キャリッジ４の搭載重量増大を招くことなく、印刷ヘッド３の往復動時の両方において紫外線照射を実行することができる。
【００８８】
図１などに示す、拡散レンズ２３について、もし、コリメータレンズ１２による光が十分に平行にできないのであれば、コリメータレンズ１２を通過した光は若干拡散したものになる。その場合には、図１０に示すように、拡散レンズ２３を凸レンズ２９に置き換えて、コリメータレンズ１２を若干通過した光を収束させてから、被記録媒体Ｐに到達させる。
【００８９】
（３）その他
以上においては、載置手段である載置テーブル２が載置して水平方向に支持した被記録媒体Ｐに対し、印刷ヘッド３のノズル面３ａからインクを下方に吐出する場合を示したが、本発明はこれに限られない。載置手段が被記録媒体Ｐを鉛直方向に支持し、印刷ヘッド３のノズル面３ａが当該鉛直方向の被記録媒体Ｐに対しインクを水平方向に吐出する構成に、本発明を適用してもよい。この場合も同様の効果を得る。
【００９０】
また、以上既に述べた以外にも、上記実施形態や各変形例による手法を適宜組み合わせて利用しても良い。
【００９１】
その他、一々例示はしないが、本発明は、その趣旨を逸脱しない範囲内において、種々の変更が加えられて実施されるものである。
【符号の説明】
【００９２】
１                記録装置
２                載置テーブル（載置手段）
３                印刷ヘッド
４                キャリッジ（印刷ヘッド搬送手段）
１０              紫外線発生源
１１              発光素子
１２              コリメータレンズ（変換手段）
２０              光路切替機構（光路切替手段）
２１              シャッタ（開閉手段）
２２              反射ミラー（他方側反射手段）
２３              拡散レンズ（拡散手段）
２４              左拡散ミラー（一方側反射手段、拡散手段）
２５              右拡散ミラー（他方側反射手段、拡散手段）
２７              左反射ミラー（一方側反射手段）
２８              右反射ミラー（他方側反射手段）
３０              光路
３１              第１光路
３２              第２光路
４０              移動機構
Ｐ                被記録媒体
【図１】
2012206449.tif 000003
【図２】
2012206449.tif 000004
【図３】
2012206449.tif 000005
【図４】
2012206449.tif 000006
【図５】
2012206449.tif 000007
【図６】
2012206449.tif 000008
【図７】
2012206449.tif 000009
【図８】
2012206449.tif 000010
【図９】
2012206449.tif 000011
【図１０】
2012206449.tif 000012